(57)【要約】【課題】構造が合理的で簡単であり、加工が容易であり、低コストであり、性能が優れ信頼できる使い捨て針先自動後退安全注射器を提供する。【解決手段】使い捨て針先自動後退安全注射器は、シリンジと、プランジャと、針座とを備えている。前記シリンジの前部に取付孔が設けられている。前記針座は大針座及び小針座からなり、前記小針座は前記大針座及び前記シリンジの取付孔内に設けられている。前記プランジャの内部には連通孔が形成され、前記連通孔の前部に、注射後に前記小針座を前記プランジャの連通孔内に後退させる弾性復位装置が設けられている。【選択図】図１
0003162670.tif 000002
【実用新案登録請求の範囲】
【請求項１】
シリンジと、プランジャと、針座とを備え、
前記シリンジの前部に取付孔が設けられ、
前記針座は大針座及び小針座からなり、前記小針座は前記大針座及び前記シリンジの取付孔内に設けられ、
前記プランジャの内部には連通孔が形成され、前記連通孔の前部に、注射後に前記小針座を前記プランジャの連通孔内に後退させる弾性復位装置が設けられている、
ことを特徴とする、使い捨て針先自動後退安全注射器。
【請求項２】
前記取付孔の底部に、前記プランジャの頭部が作用している場合に開く小針座止め機構が設けられていることを特徴とする、請求項１に記載の安全注射器。
【請求項３】
前記小針座止め機構は弾性支え爪からなり、前記弾性支え爪の下部の内側部分に、前記小針座の底部と係合する返しが設けられていることを特徴とする、請求項２に記載の安全注射器。
【請求項４】
前記小針座の内孔の後部に連結孔が形成され、前記連結孔の底部には、前記弾性復位装置との間に間隙を形成する係合突起が設けられていることを特徴とする、請求項１に記載の安全注射器。
【請求項５】
前記弾性復位装置は、バネ固定座及び圧縮バネからなり、前記バネ固定座は、前記圧縮バネが作動する状態では、前記プランジャの連通孔と共に、小針座を一時的に拘束するための相対移動可能な嵌め合いを形成することを特徴とする、請求項１に記載の安全注射器。
【請求項６】
前記プランジャの連通孔には、内孔を小径部及び大径部に分ける凸台面が設けられていることを特徴とする、請求項５に記載の安全注射器。
【請求項７】
前記バネ固定座は、前記プランジャの連通孔から突き出る頭部及び胴体上部と、前記プランジャの連通孔内の胴体下部とを備え、前記頭部には、前記小針座と嵌め合わされて連結される構造が設けられ、前記胴体上部の外径は前記胴体下部の外径より小さく、前記プランジャの連通孔内の摩擦凸縁が前記胴体下部から前記胴体上部まで移動する際に、前記バネ固定座は拘束が解除され、前記圧縮バネが作動する状態で前記小針座を前記プランジャの連通孔の底部まで後退させるよう設けられることを特徴とする、請求項５に記載の安全注射器。
【請求項８】
前記大針座の底部の外周部には凸環が設けられ、前記シリンジの頭部に凹溝が設けられ、前記凹溝内には前記凸環と連結可能なねじ山が設けられていることを特徴とする、請求項１に記載の安全注射器。
【請求項９】
前記大針座の中央部の外周部には、カバーと噛み合って連結される棘歯が設けられていることを特徴とする、請求項１に記載の安全注射器。
【請求項１０】
前記小針座と前記大針座の内孔との間には、前記小針座が動くのを防止する止め機構が設けられ、前記止め機構は、前記小針座に設けられた凸部と、前記大針座の内孔に設けられた凹部とを備えていることを特徴とする、請求項１に記載の安全注射器。
【考案の詳細な説明】
【技術分野】
【０００１】
本考案は、使い捨て針先自動後退安全注射器に関する。
【背景技術】
【０００２】
注射器はよく使用される医療器具であり、現在、医療機構によって広範囲に使用される注射器はいずれも使い捨てのものである。しかし、１回だけ使用された注射器が、そのまま不法に繰り返し使用される危険や、廃棄物処理の過程で針先が露出して隠れた危険があり得る。統計資料によると、使い捨て注射器を繰り返し使った結果、針先の共用、廃棄物処理の不適切さなどによって、交差感染及び悪性疾病が引き起こされ、既に、少なくとも３９万人の中国国民が早く死亡し、６８９万人の寿命が損なわれ、直接医療費が１．４２億ドルに達している。
【０００３】
また、中国国内市場に存在する使い捨て注射器は、その構造及び技術が不足していることから、安全に注射を行うことを保証できず、安全に廃棄されなかった針具を使用して引き起こされる医療看護スタッフの針刺し損傷は、その他の損傷より明らかに多い。統計によると、中国国内の臨床注射は約１３０億回／年であり、安全でない注射は約６０％を占めている。また、中国国家衛生部の専門家の統計報告によると、Ｂ型肝炎、Ｃ型肝炎、エイズ等の中国国内の血液由来ウィルス性疾病は、針刺し傷によって生じる感染が約８０％を占める。このため、病原菌が二次感染又は交差感染するのを防ぐことができず、医療看護スタッフの身の安全に重大な脅威となっている。
【０００４】
米国疾病管理予防センターの世界エイズ計画の中国責任者である叶雷は、安全でない注射器の解決する最良の方法は、使い捨て廃棄を前提とした注射器を使用することであると指摘している。１９９４年、ＷＨＯ（世界保険機構）は、安全な注射についての要求と定義を示した。即ち、注射を受ける者に対し無害であり、注射を使用する者に対し無害であり、環境と他人に対し無害であることである。
【考案の概要】
【考案が解決しようとする課題】
【０００５】
上述の問題に鑑み、本考案の目的は、構造が合理的で簡単であり、加工が容易であり、低コストであり、性能が優れ信頼できる使い捨て針先自動後退安全注射器を提供することにある。
【課題を解決するための手段】
【０００６】
上述の目的を、下記技術によって実現する。
【０００７】
使い捨て針先自動後退安全注射器は、シリンジと、プランジャと、針座とを備え、
前記シリンジの前部に取付孔が設けられ、
前記針座は大針座及び小針座からなり、前記小針座は前記大針座及び前記シリンジの取付孔内に設けられ、
前記プランジャの内部には連通孔が形成され、前記連通孔の前部に、注射後に前記小針座を前記プランジャの連通孔内に後退させる弾性復位装置が設けられている、
ことを特徴とする。
【０００８】
前記取付孔の底部に、前記プランジャの頭部が作用している場合に開く小針座止め機構が設けられてもよい。
【０００９】
前記小針座止め機構は弾性支え爪からなり、前記弾性支え爪の下部の内側部分に、前記小針座の底部と係合する返しが設けられてもよい。
【００１０】
前記小針座の内孔の後部に連結孔が形成され、前記連結孔の底部には、前記弾性復位装置との間に間隙を形成する係合突起が設けられてもよい。
【００１１】
前記弾性復位装置は、バネ固定座及び圧縮バネからなり、前記バネ固定座は、前記圧縮バネが作動する状態では、前記プランジャの連通孔と共に、小針座を一時的に拘束するための相対移動可能な嵌め合いを形成してもよい。
【００１２】
前記プランジャの連通孔には、内孔を小径部及び大径部に分ける凸台面が設けられてもよい。
【００１３】
前記バネ固定座は、前記プランジャの連通孔から突き出る頭部及び胴体上部と、前記プランジャの連通孔内の胴体下部とを備え、前記頭部には、前記小針座と嵌め合わされて連結される構造が設けられ、前記胴体上部の外径は前記胴体下部の外径より小さく、前記プランジャの連通孔内の摩擦凸縁が前記胴体下部から前記胴体上部まで移動する際に、前記バネ固定座は拘束が解除され、前記圧縮バネが作動する状態で前記小針座を前記プランジャの連通孔の底部まで後退させるよう設けられてもよい。
【００１４】
前記大針座の底部の外周部には凸環が設けられ、前記シリンジの頭部に凹溝が設けられ、前記凹溝内には前記凸環と連結可能なねじ山が設けられてもよい。
【００１５】
前記大針座の中央部の外周部には、カバーと噛み合って連結される棘歯が設けられてもよい。
【００１６】
前記小針座と前記大針座の内孔との間には、前記小針座が動くのを防止する止め機構が設けられ、前記止め機構は、前記小針座に設けられた凸部と、前記大針座の内孔に設けられた凹部とを備えてもよい。
【００１７】
既存の技術に対して、本考案は下記特徴を有する。
１．本考案の注射針及びその針座は、完全に作動した後は、終始プランジャ内に保持され、シリンジの前端面に突き出て誤って傷つけることがなく、注射器の回収処理の過程で操作人員の危険を完全に除去できる。
２．本考案のプランジャは、完全に作動した後は、シリンジに止められ、再度シリンジが引っ張り出されることがなく、違法に再加工、繰り返し使用される危険を回避できる。
３．本考案の合理的で簡単な構造は、極少量の残留薬物を隔離し、人に対する薬液の汚染を回避できる。
４．本考案は低コストで、性能が優れ、安全で信頼でき、大量生産可能である。
【００１８】
本考案の針座は、大針座と小針座が嵌め合わされ、大針座とシリンジがねじ山で連結されることにより、注射器とその針座を必要に応じて取り替えることができ、薬の調剤、及び異なる規格の注射針を必要とする注射の要求を満足できる。
【図面の簡単な説明】
【００１９】
【図１】本考案の注射器の全体の構造を示す図。
【図２】本考案の注射器のシリンジの構造を示す図。
【図３】本考案の注射器の大針座の構造を示す図。
【図４】本考案の注射器の針先を有する小針座の構造を示す図。
【図５】本考案の注射器のプランジャの構造を示す図。
【図６】本考案の注射器のバネ固定座の構造を示す図。
【図７】本考案の注射器の注射前の構造を示す図。
【図８】図７のＡの部分の部分拡大図。
【図９】本考案の注射器の注射中の、弾性復位装置の作動前の構造を示す図。
【図１０】図９のＢの部分の部分拡大図。
【図１１】本考案の注射器の注射中の、弾性復位装置の作動後の構造を示す図。
【図１２】図１１のＣの部分の部分拡大図。
【図１３】図１１のＤの部分の部分拡大図。
【図１４】本考案の注射器のシリンジの取付孔の底部が有する小針座止め機構を示す図。
【考案を実施するための形態】
【００２０】
図１に示すように、使い捨て針先自動後退安全注射器は、中空のシリンジ１と、シリンジ１内に装着されるプランジャ２と、シリンジ１の頭部に取り付けられた針座３と、針座３の外に連結され、注射針４を保護するためのカバー５とを備えている。
【００２１】
図２に示すように、シリンジ１の前部には取付孔１１が設けられ、シリンジ１の前端面には凹溝１１１が設けられ、凹溝１１１には連結用のねじ山が設けられている。取付孔１１とシリンジ１の内孔１２とは、傾斜部１３を介して繋がっている。
【００２２】
図１及び図３に示すように、針座３は、大針座３１と小針座３２からなる。大針座３１の底部の外周部には凸環３１１が設けられ、凸環３１１は、シリンジ１の頭部に設けられた凹溝１１１にねじ込まれる。大針座３１の中央部の外周部には、棘歯３１２とカバー５が噛み合って連結されている。大針座３１の内孔は、上方から下方にかけて順に大きい上孔部３１３、中孔部３１４及び下孔部３１５に別れている。上孔部３１３と中孔部３１４の間には、上凸縁３１６が形成されている。中孔部３１４と下孔部３１５の間には下凸縁３１７が形成されている。シリンジ１の頂部と下凸縁３１７の底面は面一である。小針座３２は、プランジャ２内に後退できる。小針座３２の中央部及び上部は、静摩擦力により大針座３１の内孔に嵌め合わされて装着されている。小針座３２の下部は、シリンジ１の頭部の取付孔１１に装着され、本実施形態では、小針座３２の外形は、順に直径が大きい上部３２１、中央部３２２及び下部３２３に分かれている。その構造を図１及び図４に示す。上部３２１と中央部３２２の間には凸台３２４が形成されている。中央部３２２及び下部３２３の間には下凸台３２５が形成されている。小針座３２は、上部３２１が大針座３１の上孔部３１３内に配され、中央部３２２が大針座３１の中孔部３１４内に配されて、大針座３１と密閉して嵌め合わされるよう装着されている。小針座３２の下部３２３はシリンジ１の取付孔１１と嵌め合わされて装着されるとともに、上凸台３２４は上凸縁３１６に保持され、下凸台３２５は下凸縁３１７に保持される。小針座３２の内孔の前部は小さな貫通孔３２６であり、その上に注射針４が取り付けられている。小針座３２の内孔の後部は、中途孔３２７と連結孔３２８に分かれている。中途孔３２７の内径は連結孔３２８の内径より小さい。連結孔３２８の長さは１．５〜２ｍｍであり、その底部には係合突起３２８１が設けられている。
【００２３】
図１及び図５に示すように、プランジャ２の頭部にはゴム栓６が取り付けられている。プランジャ２の内部は連通孔であり、連通孔内には、内孔を小径部２２と大径部２３とに分ける凸台面２１が設けられ、小径部２２の開口部には摩擦凸縁２２１が設けられている。連通孔の前部には、注射後に、小針座３２を連通孔内に後退させる弾性復位装置７が設けられている。連通孔の後部は、押さえ８と係合して密封するよう連結される。
【００２４】
図１及び図６に示すように、弾性復位装置７は、バネ固定座７１と圧縮バネ７２からなる。バネ固定座７１は、プランジャ２の連通孔から突き出る頭部７１１及び胴体上部７１２と、連通孔内に配される胴体下部７１３及び脚部７１４とを備えている。バネ固定座７１の頭部７１１は、注射の過程で小針座３２の連結孔３２８に進入可能である。バネ固定座７１の頭部７１１の端部は薄片構造７１１１になっている。薄片構造７１１１の両側は円錐斜面７１１２になっている。円錐斜面７１１２の底部の外向き突起は係合環７１１３を形成する。係合突起７１１３の最大外径は、小針座３２の連結孔３２８の内径より小さく、係合突起３２８１の最小内径より大きい。係合環７１１３は、バネ固定座７１が下方に引っ張られる時に、小針座３２の係合突起３２８１と係合可能である。薄片構造７１１１には、頭部７１１の変形性能を増大させるための貫通孔７１１４が設けられている。本実施形態では、貫通孔７１１４は略長方形である。胴体上部７１２の長さは、小針座３２の連結孔３２８の長さより短い。胴体上部７１２の外径は、摩擦凸縁２２１の最小内径より短く、シリンジ１の頭部の取付孔１１の内径より長い。胴体下部７１３は、連通孔の小径部２２内に嵌め合わされるとともに、小径部２２上の摩擦凸縁２２１に対し内側から圧接するよう嵌め合わされる。脚部７１４の上端面は、連通孔の凸台面２１に保持される。脚部７１４の底部には、外側を向く突起からなる当接台７１４１が形成され、当接台７１４１は、連通孔の凸台面２１との間に圧縮バネ７２が取り付けられる。圧縮バネ７２の復元力は、圧縮バネ７２が作動する前は、バネ固定座７１の胴体下部７１３が摩擦凸縁２２１に対し内側から圧接するよう嵌め合わされて生じる摩擦力より小さく、圧縮バネ７２が作動した後は、小針座３２及び注射針４をプランジャ２内に引き入れることができる。
【００２５】
図７，図８に、本考案の注射前の構造を示す。ここでは、バネ固定座７１の頭部７１１は、円錐斜面７１１２を有する薄片構造７１１１が小針座３２の連結孔３２８に深く進入しておらず、弾性復位装置７は作動せず、バネ７２は圧縮状態にあり、注射液はプランジャ２に沿って途切れることなく流れ、小針座３２の内孔から注射針４へ流れる。
【００２６】
図９，図１０は、本考案の注射中の弾性復位装置７の作動前の構造を示す。ここでは、バネ固定座７１の頭部７１１は、薄片構造７１１１上の係合環７１１３が前進する力により変形し、係合環７１１３が直接係合突起３２８１を超えるまで連結孔３２８内に進入して、係合環７１１３は復元する。このとき、弾性復位装置７はまだ作動せず、バネ７２は圧縮状態にあり、注射液はプランジャ２に沿って流れ続け、小針座３２の内孔から注射針４に流れる。その後、バネ固定座７１の胴体上部７１２の上端面がシリンジ１の内孔の傾斜部１３に当たるとバネ固定座７１は前進できず、プランジャ２がさらに前進するのに伴い、ゴム栓６が素早くシリンジ１の取付孔１１の底部を押すまでの間、プランジャ２はバネ固定座７１に対し相対的に移動する。プランジャ２の内孔の小径部２２の摩擦凸縁２２１は、その内側から圧接して嵌め合わされるバネ固定座７１の胴体下部７１３から脱離し、胴体上部７１２が進入するため、摩擦凸縁２２１と胴体下部７１３との間の摩擦力が失われる。これにより、バネ固定座７１は、復位しようとするバネ７２の復元力の作用によって素早く後退する。その構造を図１１，図１２，図１３に示す。注射完了後は、注射針４は、シリンジ１の前方に取り出すことができなくなる。これにより、誤刺しを回避でき、注射器回収処理の過程で操作者が曝される危険を最大限除去できる。また、注射後はごく少量の残留薬物を隔離して、人が薬液に汚染されるのを回避することができる。
【００２７】
また、注射の過程で、小針座３２を動かないようにし、患者の痛みを和らげるために、小針座３２の中央部３２２と大針座３１の内孔の中孔部３１４との間に、小針座３２が移動するのを防止する制止機構が設けられている。この機構は、小針座３２の中央部３２２上の凸ブロック３２２１と、大針座３１の中孔部３１４上の凹部３１４１とを備えている。
【００２８】
図１４に示すように、シリンジ１の取付孔１１の底部には、プランジャ２の頭部が作用すると開く小針座止め機構が設けられている。本実施形態では、小針座止め機構は弾性支え爪１９からなる。弾性支え爪１９の下部の内側部分には、小針座３２の底部と係合する返し１９１が設けられている。弾性支え爪１９の底部には、プランジャ２の頭部の斜面と嵌め合わされるよう傾斜を有する斜面構造が設けられている。斜面構造は、プランジャ２の頭部の斜面に対し内側に一定の間隔をあけて配されている。
【００２９】
この止め機構は、プランジャ２がシリンジ１の底部まで達していない場合は、弾性支え爪１９の返し１９１は小針座３２の底部に係止し、小針座３２を止める。これにより、小針座３２が、注射の過程で反作用力が大き過ぎて大針座３１から離れ、後退する現象が起きるのを確実に阻止する。注射が完了し、プランジャ２がシリンジ１の底部まで達すると、弾性支え爪１９の斜面構造の傾斜がプランジャ２の頭部の斜面に嵌る。これとともに、斜面構造は、プランジャ２の頭部の斜面に対して内側に一定の間隔をあけて配され、プランジャ２の頭部の斜面は、弾性支え爪１９の底部を外側に拡張させ、プランジャ２にさらに圧接されて弾性支え爪１９は外側に開き、返し１９１と小針座３２の底部の係止状態が解除され、小針座３２確実に後退する。
【００３０】
上述のように、本考案は、構造が合理的で簡単であり、加工が容易で、低コストで、性能が優れ信頼性のある使い捨て針先自動後退安全注射器である。
【００３１】
以上、具体的な実施形態を示して本考案について説明したが、本考案はこれに限られない。上述の実施形態において、部材の材料、形状を、本考案の構想、作動原理から逸脱しない範囲で、当業者によく知られた他の置き換え、或いは同等の部材、材料、適した形状によって置き換えられることは言うまでもない。
【符号の説明】
【００３２】
１  シリンジ
１１  シリンジの取付孔
１９  弾性支え爪
１９１  弾性支え爪の返し
２  プランジャ
２１  凸台面
２２  小径部
２２１  摩擦凸縁
２３  大径部
３  針座
３１  大針座
３１１  凸環
３２  小針座
３２８  小針座の連結孔
５  カバー
７  弾性復位装置
７１  バネ固定座
７１１  頭部
７１２  胴体上部
７１３  胴体下部
７２  圧縮バネ
【図１】
0003162670.tif 000003
【図２】
0003162670.tif 000004
【図３】
0003162670.tif 000005
【図４】
0003162670.tif 000006
【図５】
0003162670.tif 000007
【図６】
0003162670.tif 000008
【図７】
0003162670.tif 000009
【図８】
0003162670.tif 000010
【図９】
0003162670.tif 000011
【図１０】
0003162670.tif 000012
【図１１】
0003162670.tif 000013
【図１２】
0003162670.tif 000014
【図１３】
0003162670.tif 000015
【図１４】
0003162670.tif 000016